(57)【要約】【課題】Ｄｕａｌ  Ｃｏｎｎｅｃｔｉｖｉｔｙにおいてベアラのデータに欠落がないという要求条件を実現することを目的とする。【解決手段】セカンダリセルグループの基地局と共に移動局に対してベアラを設定して通信するマスターセルグループの基地局は、セカンダリセルグループの削除若しくは変更、又はセカンダリセルグループのベアラの削除に伴ってセカンダリセルグループの基地局の下りリンクデータをマスターセルグループの基地局に転送すべきか否かの指示を、セカンダリセルグループの基地局に送信するデータ転送指示部と、上記の指示に従ってセカンダリセルグループの基地局から転送された下りリンクデータを受信する受信部と、受信した下りリンクデータを移動局に送信する送信部とを有する。【選択図】図４
2020031453.tif 000002
【特許請求の範囲】
【請求項１】
セカンダリセルグループの基地局と共に移動局に対してベアラを設定して通信するマスターセルグループの基地局であって、
セカンダリセルグループの削除若しくは変更、又はセカンダリセルグループのベアラの削除に伴ってセカンダリセルグループの基地局の下りリンクデータをマスターセルグループの基地局に転送すべきか否かの指示を、セカンダリセルグループの基地局に送信するデータ転送指示部と、
上記の指示に従ってセカンダリセルグループの基地局から転送された下りリンクデータを受信する受信部と、
受信した下りリンクデータを移動局に送信する送信部と、
を有する基地局。
【発明の詳細な説明】
【技術分野】
【０００１】
本発明は、基地局及びデータ転送方法に関する。
【背景技術】
【０００２】
ＬＴＥ−Ａｄｖａｎｃｅｄ（Ｌｏｎｇ  Ｔｅｒｍ  Ｅｖｏｌｕｔｉｏｎ−Ａｄｖａｎｃｅｄ）システムでは、複数のコンポーネントキャリア（ＣＣ：Ｃｏｍｐｏｎｅｎｔ  Ｃａｒｒｉｅｒ）を用いて高スループットを実現するキャリアアグリゲーション（ＣＡ：Ｃａｒｒｉｅｒ  Ａｇｇｒｅｇａｔｉｏｎ）が検討されている。ＣＡでは、移動局（ＵＥ：Ｕｓｅｒ  Ｅｑｕｉｐｍｅｎｔ）との接続性を担保する信頼性の高いセルであるマスターセルグループ（ＭＣＧ：Ｍａｓｔｅｒ  Ｃｅｌｌ  Ｇｒｏｕｐ）と、マスターセルグループに接続中の移動局に追加的に設定されるセルであるセカンダリセルグループ（ＳＣＧ：Ｓｅｃｏｎｄａｒｙ  Ｃｅｌｌ  Ｇｒｏｕｐ）とが設定される。
【０００３】
ＣＡでは、同一基地局の配下の複数のＣＣを用いることができるだけでなく、異なる基地局の配下のＣＣを用いることも検討されている。異なる基地局の配下のＣＣを用いて通信を行うことをＤｕａｌ  Ｃｏｎｎｅｃｔｉｖｉｔｙと呼ぶ（非特許文献１参照）。Ｄｕａｌ  ＣｏｎｎｅｃｔｉｖｉｔｙにおいてＭＣＧに対応する基地局は、ＭｅＮＢ（Ｍａｓｔｅｒ  ｅＮＢ）と呼ばれ、ＳＣＧに対応する基地局はＳｅＮＢ（Ｓｅｃｏｎｄａｒｙ  ｅＮＢ）と呼ばれる。Ｄｕａｌ  Ｃｏｎｎｅｃｔｉｖｉｔｙは、例えば、全てのＣＣを１つの基地局内に収容することができない場合や、理想的なバックホールが十分に設置できないエリアにおいてに高スループットを実現する際に有用である。
【０００４】
Ｄｕａｌ  Ｃｏｎｎｅｃｔｉｖｉｔｙでは、ネットワークと移動局との間に設定されるベアラのアーキテクチャとして、ＭｅＮＢ  ａｎｃｈｏｒと、Ｓ−ＧＷ  ａｎｃｈｏｒとが存在する。図１Ａ及び図１Ｂは、Ｄｕａｌ  Ｃｏｎｎｅｃｔｉｖｉｔｙにおけるベアラのアーキテクチャを示す図である。図１Ａに示すＭｅＮＢ  ａｎｃｈｏｒは、ＭｅＮＢがサービング・ゲートウェイ（Ｓ−ＧＷ：Ｓｅｒｖｉｎｇ  Ｇａｔｅｗａｙ）から受信したデータをＳｅＮＢに分配する方式である。ＭｅＮＢ  ａｎｃｈｏｒによって設定されたベアラはＳｐｌｉｔ  Ｂｅａｒｅｒと呼ばれる。図１Ｂに示すＳ−ＧＷ  ａｎｃｈｏｒは、Ｓ−ＧＷがデータをＭｅＮＢとＳｅＮＢとに分配する方式である。Ｓ−ＧＷ  ａｎｃｈｏｒによって設定されたベアラはＳＣＧ  Ｂｅａｒｅｒと呼ばれる。
【０００５】
これらのベアラのアーキテクチャは、ＳＣＧを新規に確立するプロシージャの実施、ＭＣＧに既に設定されているベアラをＳＣＧにオフロードするプロシージャの実施、又はベアラを新規に確立するプロシージャの実施により実現される。
【先行技術文献】
【非特許文献】
【０００６】
【非特許文献１】３ＧＰＰ  ＴＲ  ３６．８４２  Ｖ１２．０．０  （２０１３−１２）
【発明の概要】
【発明が解決しようとする課題】
【０００７】
図１Ａ又は図１Ｂに示すようなＳｐｌｉｔ  Ｂｅａｒｅｒ又はＳＣＧ  Ｂｅａｒｅｒが設定された後に、これらのベアラをＭＣＧ  Ｂｅａｒｅｒ、すなわち、ＭＣＧに設定されたベアラ（ＭｅＮＢと移動局との間に設定されたベアラ）に戻す場合がある。例えば、ＳＣＧの負荷によってＳｅＮＢがベアラの変更をＭｅＮＢに要求した場合や、ベアラのＱｏＳ（Ｑｕａｌｉｔｙ  ｏｆ  Ｓｅｒｖｉｃｅ）の変更によってＭｅＮＢがベアラの変更を判断した場合等、Ｓｐｌｉｔ  Ｂｅａｒｅｒ又はＳＣＧ  ＢｅａｒｅｒはＭＣＧ  Ｂｅａｒｅｒに変更される。また、無線品質の劣化の理由等でＳＣＧが解放（リリース）される場合にも、Ｓｐｌｉｔ  Ｂｅａｒｅｒ又はＳＣＧ  ＢｅａｒｅｒはＭＣＧ  Ｂｅａｒｅｒに変更される。
【０００８】
典型的な無線通信システムでは、ハンドオーバの際にパケットの欠落がないという要求条件が適用される。Ｄｕａｌ  Ｃｏｎｎｅｃｔｉｖｉｔｙにおいても同様に、パケットの欠落がないという要求条件が適用されることが想定される。すなわち、Ｓｐｌｉｔ  Ｂｅａｒｅｒ又はＳＣＧ  ＢｅａｒｅｒがＭＣＧ  Ｂｅａｒｅｒに変更される場合にも、移動局の観点から該当ベアラのデータに欠落がないことが要求される。
【０００９】
本発明は、Ｄｕａｌ  ＣｏｎｎｅｃｔｉｖｉｔｙにおいてＳｐｌｉｔ  Ｂｅａｒｅｒ又はＳＣＧ  ＢｅａｒｅｒがＭＣＧ  Ｂｅａｒｅｒに変更される場合に該当ベアラのデータに欠落がないという要求条件を実現することを目的とする。
【課題を解決するための手段】
【００１０】
本発明の一形態に係る基地局は、
セカンダリセルグループの基地局と共に移動局に対してベアラを設定して通信するマスターセルグループの基地局であって、
セカンダリセルグループの削除若しくは変更、又はセカンダリセルグループのベアラの削除に伴ってセカンダリセルグループの基地局の下りリンクデータをマスターセルグループの基地局に転送すべきか否かの指示を、セカンダリセルグループの基地局に送信するデータ転送指示部と、
上記の指示に従ってセカンダリセルグループの基地局から転送された下りリンクデータを受信する受信部と、
受信した下りリンクデータを移動局に送信する送信部と、
を有することを特徴とする。
【００１１】
また、本発明の一形態に係る基地局は、
マスターセルグループの基地局と共に移動局に対してベアラを設定して通信するセカンダリセルグループの基地局であって、
セカンダリセルグループの削除若しくは変更、又はセカンダリセルグループのベアラの削除に伴ってセカンダリセルグループの基地局の下りリンクデータをマスターセルグループの基地局に転送すべきか否かの指示を、マスターセルグループの基地局から受信する受信部と、
セカンダリセルグループが削除若しくは変更された場合、又はセカンダリセルグループのベアラが削除された場合、上記の指示に従って下りリンクデータをマスターセルグループの基地局に転送するデータ転送部と、
を有することを特徴とする。
【００１２】
また、本発明の一形態に係るデータ転送方法は、
セカンダリセルグループの基地局と共に移動局に対してベアラを設定して通信するマスターセルグループの基地局におけるデータ転送方法であって、
セカンダリセルグループの削除若しくは変更、又はセカンダリセルグループのベアラの削除に伴ってセカンダリセルグループの基地局の下りリンクデータをマスターセルグループの基地局に転送すべきか否かの指示を、セカンダリセルグループの基地局に送信するステップと、
上記の指示に従ってセカンダリセルグループの基地局から転送された下りリンクデータを受信するステップと、
受信した下りリンクデータを移動局に送信するステップと、
を有することを特徴とする。
【００１３】
また、本発明の一形態に係るデータ転送方法は、
マスターセルグループの基地局と共に移動局に対してベアラを設定して通信するセカンダリセルグループの基地局におけるデータ転送方法であって、
セカンダリセルグループの削除若しくは変更、又はセカンダリセルグループのベアラの削除に伴ってセカンダリセルグループの基地局の下りリンクデータをマスターセルグループの基地局に転送すべきか否かの指示を、マスターセルグループの基地局から受信するステップと、
セカンダリセルグループが削除若しくは変更された場合、又はセカンダリセルグループのベアラが削除された場合、上記の指示に従って下りリンクデータをマスターセルグループの基地局に転送するステップと、
を有することを特徴とする。
【発明の効果】
【００１４】
本発明によれば、Ｄｕａｌ  ＣｏｎｎｅｃｔｉｖｉｔｙにおいてＳｐｌｉｔ  Ｂｅａｒｅｒ又はＳＣＧ  ＢｅａｒｅｒがＭＣＧ  Ｂｅａｒｅｒに変更される場合に該当ベアラのデータに欠落がないという要求条件を実現することが可能になる。
【図面の簡単な説明】
【００１５】
【図１Ａ】Ｄｕａｌ  Ｃｏｎｎｅｃｔｉｖｉｔｙにおけるベアラのアーキテクチャ（ＭｅＮＢ  ａｎｃｈｏｒ）を示す図
【図１Ｂ】Ｄｕａｌ  Ｃｏｎｎｅｃｔｉｖｉｔｙにおけるベアラのアーキテクチャ（Ｓ−ＧＷ  ａｎｃｈｏｒ）を示す図
【図２】本発明の実施例に係る基地局（ＭｅＮＢ）の構成図
【図３】本発明の実施例に係る基地局（ＳｅＮＢ）の構成図
【図４】本発明の実施例に係るデータ転送方法を示すシーケンス図（ＭｅＮＢの判断でベアラ変更する場合）
【図５】本発明の実施例に係るデータ転送方法を示すシーケンス図（ＳＣＧが解放される場合）
【図６】本発明の実施例に係るデータ転送方法を示すシーケンス図（ＳｅＮＢの判断でベアラ変更する場合）
【図７】本発明の実施例に係るデータ転送方法を示すシーケンス図（セル追加時にデータ転送の要否を一括通知する場合）
【図８】本発明の実施例に係るデータ転送方法を示すシーケンス図（一括通知の後にＭｅＮＢの判断でベアラ変更する場合）
【図９】本発明の実施例に係るデータ転送方法を示すシーケンス図（一括通知の後にＳＣＧが解放される場合）
【図１０】本発明の実施例に係るデータ転送方法を示すシーケンス図（一括通知の後にＳｅＮＢの判断でベアラ変更する場合）
【発明を実施するための形態】
【００１６】
本発明の実施例では、キャリアアグリゲーション（ＣＡ）の中でも、移動局（ＵＥ）が異なる基地局の配下のセルグループを用いて通信する場合について説明する。このようなＣＡの接続形態をＤｕａｌ  Ｃｏｎｎｅｃｔｉｖｉｔｙと呼ぶ。
【００１７】
図１Ａ及び図１Ｂを参照して説明したように、Ｄｕａｌ  Ｃｏｎｎｅｃｔｉｖｉｙにおいて、移動局（ＵＥ）は、２つの基地局（ＭｅＮＢ及びＳｅＮＢ）を介して設定されたベアラ（Ｓｐｌｉｔ  Ｂｅａｒｅｒ又はＳＣＧ  Ｂｅａｒｅｒ）を用いて通信することができる。Ｄｕａｌ  ＣｏｎｎｅｃｔｉｖｉｔｙにおいてＳｐｌｉｔ  Ｂｅａｒｅｒ又はＳＣＧ  Ｂｅａｒｅｒが設定された後に、これらのベアラをＭＣＧ  Ｂｅａｒｅｒに戻す場合、すなわち、ＳＣＧを削除若しくは変更する場合、又はＳＣＧのベアラを削除する場合、本発明の実施例では、ＳｅＮＢの下りリンクデータをＭｅＮＢに転送すること（データ転送）によって、該当ベアラのデータに欠落がないという要求条件を実現する。
【００１８】
ただし、ベアラのアーキテクチャやＭｅＮＢの実装によってはＭｅＮＢ内のバッファにＳｅＮＢの下りリンクデータが存在する場合があり、必ずしもデータ転送が必要になるとは限らない。そこで、本発明の実施例では、ＭｅＮＢがデータ転送の要否の指示をＳｅＮＢに通知することで、効率的なデータ転送を実現する。
【００１９】
具体的な基地局（ＭｅＮＢ及びＳｅＮＢ）の構成について以下に説明する。
【００２０】
＜基地局（ＭｅＮＢ）の構成＞
図２に、本発明の実施例に係る基地局（ＭｅＮＢ）の構成図を示す。ＭｅＮＢ１０は、ＵＬ信号受信部１０１と、ＤＬ信号送信部１０３と、セカンダリセルグループ設定部１０５と、データ転送指示部１０７と、ＤＬデータバッファ部１０９と、基地局間インタフェース部１１１とを有する。
【００２１】
ＵＬ信号受信部１０１は、ＵＥからの上りリンクの信号を受信する。ＵＬ信号受信部１０１は、ＵＥからのデータ信号に加えて、ＲＲＣ（Ｒａｄｉｏ  Ｒｅｓｏｕｒｃｅ  Ｃｏｎｔｒｏｌ）メッセージを受信する。例えば、ＵＬ信号受信部１０１は、ＵＥからセルの品質報告（ｍｅａｓｕｒｅｍｅｎｔ  ｒｅｐｏｒｔ）、コネクション設定完了通知（ＲＲＣ  ｃｏｎｎｅｃｔｉｏｎ  ｒｅｃｏｎｆｉｇｕｒａｔｉｏｎ  ｃｏｍｐｌｅｔｅ）等を受信する。
【００２２】
ＤＬ信号送信部１０３は、ＵＥに下りリンクの信号を送信する。ＤＬ信号送信部１０３は、ＵＥへのデータ信号に加えて、ＲＲＣメッセージを送信する。例えば、ＤＬ信号送信部１０３は、コネクション設定通知（ＲＲＣ  ｃｏｎｎｅｃｔｉｏｎ  ｒｅｃｏｎｆｉｇｕｒａｔｉｏｎ）等を送信する。
【００２３】
セカンダリセルグループ設定部１０５は、ＵＥから受信したセルの品質報告に基づいて、セカンダリセルグループ（ＳＣＧ）を追加する。また、設定しているＳＣＧの品質が劣化した場合、セカンダリセルグループ設定部１０５は、ＳｅＮＢに対して、ＳＣＧに設定されたベアラの変更又はＳＣＧの解放（ＳＣＧの削除又は変更）を行う。ＳＣＧの追加又は解放、ベアラの変更は、コネクション設定通知（ＲＲＣ  ｃｏｎｎｅｃｔｉｏｎ  ｒｅｃｏｎｆｉｇｕｒａｔｉｏｎ）によってＵＥに通知される。
【００２４】
データ転送指示部１０７は、Ｓｐｌｉｔ  Ｂｅａｒｅｒ又はＳＣＧ  Ｂｅａｒｅｒが設定された後に、これらのベアラをＭＣＧ  Ｂｅａｒｅｒに戻す場合、すなわち、ＳＣＧを削除若しくは変更する場合、又はＳＣＧのベアラを削除する場合、ＳｅＮＢの下りリンクデータをＭｅＮＢに転送すべきか否かをＳｅＮＢに対して指示する。ＳｅＮＢに複数のベアラが設定されている場合、ＳｅＮＢの下りリンクデータをＭｅＮＢに転送すべきか否かの指示は、それぞれのベアラに対して設定されてもよい。また、この指示は転送が必要な場合にのみ行われてもよい。すなわち、転送が必要ない場合には、ＭｅＮＢは下りリンクデータをＭｅＮＢに転送する必要がないという指示を明示的に行わなくてもよい。また、この指示は、ＳＣＧを削除若しくは変更する毎、又はＳＣＧのベアラを削除する毎に行われてもよく（都度通知）、ＳＣＧを追加する際に行われてもよい（一括通知）。ＳＣＧを追加する際に上記の指示が行われた場合（一括通知）には、ＳＣＧを削除若しくは変更する毎、又はＳＣＧのベアラを削除する毎に上記の指示は行われなくてもよい。
【００２５】
ＤＬデータバッファ部１０９は、ＵＥに送信する下りリンクデータを格納するバッファである。
【００２６】
例えば、ＭｅＮＢ  ａｎｃｈｏｒによってＳｐｌｉｔ  Ｂｅａｒｅｒが設定されている場合には、ＭｅＮＢのＤＬデータバッファ部１０９にＳｅＮＢに分配したデータが存在する可能性がある。Ｓｐｌｉｔ  ＢｅａｒｅｒをＭＣＧ  Ｂｅａｒｅｒに戻す場合、データ転送指示部１０７は、ＤＬデータバッファ部１０９のバッファのサイズに基づいて、データ転送を行うべきかを判断してもよい。例えば、ＤＬデータバッファ部１０９のバッファのサイズが閾値より大きい場合には、データ転送を行う必要がないと判断し、ＤＬデータバッファ部１０９のバッファのサイズが閾値以下である場合には、データ転送を行う必要があると判断してもよい。
【００２７】
また、例えば、Ｓ−ＧＷ  ａｎｃｈｏｒによってＳＣＧ  Ｂｅａｒｅｒが設定されている場合には、ＭｅＮＢのＤＬデータバッファ部１０９にＳｅＮＢの下りリンクデータは存在しないと想定される。ＳＣＧ  ＢｅａｒｅｒをＭＣＧ  Ｂｅａｒｅｒに戻す場合、データ転送指示部１０７は、データ転送を行う必要があると判断してもよい。
【００２８】
基地局間インタフェース部１１１は、ＳｅＮＢと通信するための送受信インタフェースである。ＭｅＮＢとＳｅＮＢとのインタフェースは、Ｘ２インタフェースと呼ばれる。基地局間インタフェース部１１１は、セカンダリセルグループ設定部１０５により決定されたＳＣＧの追加又は解放、ベアラの変更をＳｅＮＢに通知し、その応答を受信する。また、基地局間インタフェース部１１１は、ＳｅＮＢにより要求されたベアラの変更を受信し、その応答を送信する。更に、基地局間インタフェース部１１１は、ＳｅＮＢから転送された下りリンクデータを受信する。ＳｅＮＢから転送された下りリンクデータは、ＭｅＮＢ内でスケジューリングされて、ＤＬ信号送信部１０３からＵＥに送信される。
【００２９】
＜基地局（ＳｅＮＢ）の構成＞
図３に、本発明の実施例に係る基地局（ＳｅＮＢ）の構成図を示す。ＳｅＮＢ２０は、ＵＬ信号受信部２０１と、ＤＬ信号送信部２０３と、セカンダリセルグループ設定部２０５と、データ転送部２０７と、ＤＬデータバッファ部２０９と、基地局間インタフェース部２１１とを有する。
【００３０】
ＵＬ信号受信部２０１は、ＵＥからの上りリンクの信号を受信する。ＳｅＮＢはＲＲＣメッセージを送受信できないため、ＵＬ信号受信部２０１は、主にデータ信号をＵＥから受信する。
【００３１】
ＤＬ信号送信部２０３は、ＵＥに下りリンクの信号を送信する。ＳｅＮＢはＲＲＣメッセージを送受信できないため、ＤＬ信号送信部２０３は、主にデータ信号をＵＥに送信する。
【００３２】
セカンダリセルグループ設定部２０５は、ＭｅＮＢからのＳＣＧの追加の通知に従って、ＳＣＧを設定する。また、ＭｅＮＢからのベアラの変更又はＳＣＧの解放（ＳＣＧの削除又は変更）の通知に従って、ＳＣＧの設定を変更する。更に、セカンダリセルグループ設定部２０５は、ＳｅＮＢの負荷等の理由によってＳＣＧに設定されたベアラの変更をＭｅＮＢに要求してもよい。
【００３３】
データ転送部２０７は、ＭｅＮＢから通知されたデータ転送の指示に従って、下りリンクデータをＭｅＮＢに転送する。すなわち、ＳＣＧの削除若しくは変更、又はＳＣＧのベアラの削除に伴いＳｅＮＢの下りリンクデータをＭｅＮＢに転送すべきという指示を受信した場合、データ転送部２０７は、下りリンクデータをＭｅＮＢに転送する。一方、ＳＣＧの削除若しくは変更、又はＳＣＧのベアラの削除に伴いＳｅＮＢの下りリンクデータをＭｅＮＢに転送すべきという指示を受信していない場合、或いは、ＳＣＧの削除若しくは変更、又はＳＣＧのベアラの削除に伴いＳｅＮＢの下りリンクデータをＭｅＮＢに転送する必要はないという指示を受信した場合、データ転送部２０７は、下りリンクデータをＭｅＮＢに転送しない。下りリンクデータには、ＤＬデータバッファ部２０９内のＵＥに送信する予定の下りリンクデータと、ＵＥから送達確認（ＡＣＫ）を受信していない下りリンクデータとを含んでもよい。
【００３４】
ＤＬデータバッファ部２０９は、ＵＥに送信する下りリンクデータを格納するバッファである。
【００３５】
基地局間インタフェース部２１１は、ＭｅＮＢと通信するための送受信インタフェースである。基地局間インタフェース部２１１は、ＭｅＮＢにより決定されたＳＣＧの追加又は解放、ベアラの変更を受信し、その応答を送信する。また、基地局間インタフェース部２１１は、ＳｅＮＢからのベアラの変更をＭｅＮＢに要求し、その応答を受信する。更に、基地局間インタフェース部２１１は、ＳＣＧの削除若しくは変更、又はＳＣＧのベアラの削除に伴いデータ転送が必要である場合には、下りリンクデータをＭｅＮＢに転送する。
【００３６】
＜データ転送方法のシーケンス（都度通知）＞
以下、ＳｅＮＢの下りリンクデータをＭｅＮＢに転送すべきか否かの指示を、ＳＣＧを削除若しくは変更する毎、又はＳＣＧのベアラを削除する毎に行う手順（都度通知）について説明する。
【００３７】
図４は、本発明の実施例に係るデータ転送方法を示すシーケンス図（ＭｅＮＢの判断でベアラ変更する場合）である。
【００３８】
まずＵＥにＳＣＧが設定されており、ＭＣＧとＳＣＧとの双方ににベアラ（Ｓｐｌｉｔ  Ｂｅａｒｅｒ又はＳＣＧ  Ｂｅａｒｅｒ）が設定されているものとする。
【００３９】
ＭｅＮＢは、定期的にＵＥからセルの品質報告（ｍｅａｓｕｒｅｍｅｎｔ  ｒｅｐｏｒｔ）を受信している（Ｓ１０１）。例えば、セルの品質がベアラのＱｏＳを満たさなくなった場合、ＭｅＮＢは、Ｓｐｌｉｔ  Ｂｅａｒｅｒ又はＳＣＧ  ＢｅａｒｅｒをＭＣＧ  Ｂｅａｒｅｒに変更することを決定する（Ｓ１０３）。ＭｅＮＢは、Ｓｐｌｉｔ  Ｂｅａｒｅｒ又はＳＣＧ  Ｂｅａｒｅｒの削除を指示するため、ＳｅＮＢ（ＳＣＧ）  ｍｏｄｉｆｉｃａｔｉｏｎ  ｒｅｑｕｅｓｔをＳｅＮＢに送信する（Ｓ１０５）。ＳｅＮＢ（ＳＣＧ）  ｍｏｄｉｆｉｃａｔｉｏｎ  ｒｅｑｕｅｓｔにはＳｐｌｉｔ  Ｂｅａｒｅｒ又はＳＣＧ  Ｂｅａｒｅｒが削除されるというベアラ変更通知と、データ転送の要否とが含まれる。
【００４０】
ＳｅＮＢは、ＳｅＮＢ（ＳＣＧ）  ｍｏｄｉｆｉｃａｔｉｏｎ  ｒｅｑｕｅｓｔによりデータ転送が必要であることを通知されると、下りリンクデータをＭｅＮＢに転送することを決定する（Ｓ１０７）。ＳｅＮＢ（ＳＣＧ）  ｍｏｄｉｆｉｃａｔｉｏｎ  ｒｅｑｕｅｓｔを受信すると、ＳｅＮＢはスケジューリングを停止し、下りリンクデータの送信を停止する。そして、ＳｅＮＢは、ＳｅＮＢ（ＳＣＧ）  ｍｏｄｉｆｉｃａｔｉｏｎ  ｒｅｑｕｅｓｔに対する応答であるＳｅＮＢ（ＳＣＧ）  ｍｏｄｉｆｉｃａｔｉｏｎ  ｒｅｑｕｅｓｔ  ＡＣＫをＭｅＮＢに送信し（Ｓ１０９）、下りリンクデータ（Ｕ−ｐｌａｎｅデータ）をＭｅＮＢに転送する（Ｓ１１１）。ＭｅＮＢに転送される下りリンクデータは、例えば、ＳｅＮＢがスケジューリングを停止した時点（Ｓ１０７）以降にバッファ内に存在する下りリンクデータと、ＵＥから送達確認（ＡＣＫ）を受信していない下りリンクデータとを含む。
【００４１】
ＭｅＮＢは、ベアラの変更をＲＲＣ  ｃｏｎｎｅｃｔｉｏｎ  ｒｅｃｏｎｆｉｇｕｒａｔｉｏｎによってＵＥに通知し（Ｓ１１３）、その応答であるＲＲＣ  ｃｏｎｎｅｃｔｉｏｎ  ｒｅｃｏｎｆｉｇｕｒａｔｉｏｎ  ｃｏｍｐｌｅｔｅを受信する（Ｓ１１５）。ＭｅＮＢは、ベアラの変更が完了したことをＳｅＮＢに通知すると共に（Ｓ１１７）、ＳｅＮＢから転送された下りリンクデータをＵＥに送信する（Ｓ１１９）。
【００４２】
図５は、本発明の実施例に係るデータ転送方法を示すシーケンス図（ＳＣＧが解放される場合）である。
【００４３】
まずＵＥにＳＣＧが設定されており、ＭＣＧとＳＣＧとの双方ににベアラ（Ｓｐｌｉｔ  Ｂｅａｒｅｒ又はＳＣＧ  Ｂｅａｒｅｒ）が設定されているものとする。
【００４４】
ＭｅＮＢは、定期的にＵＥからセルの品質報告（ｍｅａｓｕｒｅｍｅｎｔ  ｒｅｐｏｒｔ）を受信している（Ｓ２０１）。例えば、セルの品質が劣化した場合、ＭｅＮＢは、ＳＣＧの解放を決定する（Ｓ２０３）。ＭｅＮＢは、ＳＣＧの解放を指示するため、ＳｅＮＢ（ＳＣＧ）  ｒｅｌｅａｓｅ  ｒｅｑｕｅｓｔをＳｅＮＢに送信する（Ｓ２０５）。ＳｅＮＢ（ＳＣＧ）  ｒｅｌｅａｓｅ  ｒｅｑｕｅｓｔにはデータ転送の要否が含まれる。
【００４５】
ＳｅＮＢは、ＳｅＮＢ（ＳＣＧ）  ｒｅｌｅａｓｅ  ｒｅｑｕｅｓｔによりデータ転送が必要であることを通知されると、下りリンクデータをＭｅＮＢに転送することを決定する（Ｓ２０７）。ＳｅＮＢ（ＳＣＧ）  ｒｅｌｅａｓｅ  ｒｅｑｕｅｓｔを受信すると、ＳｅＮＢはスケジューリングを停止し、下りリンクデータの送信を停止する。そして、ＳｅＮＢは、下りリンクデータ（Ｕ−ｐｌａｎｅデータ）をＭｅＮＢに転送する（Ｓ２１１）。ＭｅＮＢに転送される下りリンクデータは、例えば、ＳｅＮＢがスケジューリングを停止した時点（Ｓ２０７）以降にバッファ内に存在する下りリンクデータと、ＵＥから送達確認（ＡＣＫ）を受信していない下りリンクデータとを含む。
【００４６】
以降のステップ（Ｓ２１３〜Ｓ２１９）は、図４に示すステップ（Ｓ１１３〜Ｓ１１９）と同様に行われる。
【００４７】
なお、図５はＳＣＧが削除される場合が示されているが、ＳＣＧが変更される場合も図５と同様の手順でデータ転送が行われる。すなわち、ＳｅＮＢが他のＳｅＮＢに変更される場合にも、変更前のＳｅＮＢに対してＳｅＮＢ（ＳＣＧ）  ｒｅｌｅａｓｅ  ｒｅｑｕｅｓｔによりデータ転送の要否が通知される。ただし、ＳＣＧが変更されたとしても変更前のＳｅＮＢと変更後のＳｅＮＢとが同じである場合、当該ＳｅＮＢはデータ転送は不要であると判断する。
【００４８】
図６は、本発明の実施例に係るデータ転送方法を示すシーケンス図（ＳｅＮＢの判断でベアラ変更する場合）である。
【００４９】
まずＵＥにＳＣＧが設定されており、ＭＣＧとＳＣＧとの双方にベアラ（Ｓｐｌｉｔ  Ｂｅａｒｅｒ又はＳＣＧ  Ｂｅａｒｅｒ）が設定されているものとする。
【００５０】
ＳｅＮＢは、ＳｅＮＢの負荷が閾値を超えた場合等に、ＭｅＮＢに対してＳｐｌｉｔ  Ｂｅａｒｅｒ又はＳＣＧ  ＢｅａｒｅｒをＭＣＧ  Ｂｅａｒｅｒに変更することを決定する（Ｓ３０３）。ＳｅＮＢは、ベアラの削除を要求するため、ＳｅＮＢ（ＳＣＧ）  ｍｏｄｉｆｉｃａｔｉｏｎ  ｒｅｑｕｅｓｔをＭｅＮＢに送信する（Ｓ３０５）。ＭｅＮＢは、その応答であるＳｅＮＢ（ＳＣＧ）  ｍｏｄｉｆｉｃａｔｉｏｎ  ｒｅｑｕｅｓｔ  ＡＣＫをＳｅＮＢに送信する（Ｓ３０６）。ＳｅＮＢ（ＳＣＧ）  ｍｏｄｉｆｉｃａｔｉｏｎ  ｒｅｑｕｅｓｔ  ＡＣＫにはデータ転送の要否が含まれる。
【００５１】
ＳｅＮＢは、ＳｅＮＢ（ＳＣＧ）  ｍｏｄｉｆｉｃａｔｉｏｎ  ｒｅｑｕｅｓｔ  ＡＣＫによりデータ転送が必要であることを通知されると、下りリンクデータをＭｅＮＢに転送することを決定する（Ｓ３０７）。ｅＮＢ（ＳＣＧ）  ｍｏｄｉｆｉｃａｔｉｏｎ  ｒｅｑｕｅｓｔ  ＡＣＫを受信すると、ＳｅＮＢはスケジューリングを停止し、下りリンクデータの送信を停止する。そして、ＳｅＮＢは、下りリンクデータ（Ｕ−ｐｌａｎｅデータ）をＭｅＮＢに転送する（Ｓ３１１）。ＭｅＮＢに転送される下りリンクデータは、例えば、ＳｅＮＢがスケジューリングを停止した時点（Ｓ３０７）以降にバッファ内に存在する下りリンクデータと、ＵＥから送達確認（ＡＣＫ）を受信していない下りリンクデータとを含む。
【００５２】
以降のステップ（Ｓ３１３〜Ｓ３１９）は、図４に示すステップ（Ｓ１１３〜Ｓ１１９）と同様に行われる。
【００５３】
＜テータ転送方法のシーケンス（一括通知）＞
以下、ＳｅＮＢの下りリンクデータをＭｅＮＢに転送すべきか否かの指示を、ＳＣＧを追加する毎に行う手順（一括通知）について説明する。この場合、ＳＣＧを削除若しくは変更する毎、又はＳＣＧのベアラを削除する毎に上記の指示は行われなくてもよい。
【００５４】
図７は、本発明の実施例に係るデータ転送方法を示すシーケンス図（セル追加時にデータ転送の要否を一括通知する場合）である。
【００５５】
ＭＣＧにベアラ（ＭＣＧ  Ｂｅａｒｅｒ）が設定されており、ＳＣＧが追加されていないものとする。
【００５６】
ＭｅＮＢは、定期的にＵＥからセルの品質報告（ｍｅａｓｕｒｅｍｅｎｔ  ｒｅｐｏｒｔ）を受信している（Ｓ４０１）。ＭｅＮＢは、セルの品質報告に基づいてＳＣＧを追加することを決定した場合、ＳＣＧの追加を指示するため、ＳｅＮＢ（ＳＣＧ）  ａｄｄｉｔｉｏｎ  ｒｅｑｕｅｓｔをＳｅＮＢに送信する（Ｓ４０５）。ＳｅＮＢ（ＳＣＧ）  ａｄｄｉｔｉｏｎ  ｒｅｑｕｅｓｔにはデータ転送の要否が含まれる。このデータ転送の要否は、ＳＣＧが削除若しくは変更される場合、又はＳＣＧに設定されたベアラが削除されてＭＣＧ  Ｂｅａｒｅｒに変更される場合にＳｅＮＢの下りリンクデータをＭｅＮＢに転送するべきか否かを示す。
【００５７】
ＳｅＮＢは、ＳｅＮＢ（ＳＣＧ）  ａｄｄｉｔｉｏｎ  ｒｅｑｕｅｓｔによりデータ転送の要否を通知されると、その応答であるＳｅＮＢ（ＳＣＧ）  ａｄｄｉｔｉｏｎ  ｒｅｑｕｅｓｔ  ＡＣＫをＭｅＮＢに送信する（Ｓ４０９）。
【００５８】
ＭｅＮＢは、ＳＣＧの追加をＲＲＣ  ｃｏｎｎｅｃｔｉｏｎ  ｒｅｃｏｎｆｉｇｕｒａｔｉｏｎによってＵＥに通知し（Ｓ４１３）、その応答であるＲＲＣ  ｃｏｎｎｅｃｔｉｏｎ  ｒｅｃｏｎｆｉｇｕｒａｔｉｏｎ  ｃｏｍｐｌｅｔｅを受信する（Ｓ４１５）。ＭｅＮＢは、ＳＣＧの追加が完了したことをＳｅＮＢに通知する（Ｓ４１７）。この手順によってＳＣＧが設定され、ＭＣＧ  ＢｅａｒｅｒがＳｐｌｉｔ  Ｂｅａｒｅｒ又はＳＣＧ  Ｂｅａｒｅｒに変更される。
【００５９】
次に、一括通知の場合のデータ転送の手順について説明する。
【００６０】
図８は、本発明の実施例に係るデータ転送方法を示すシーケンス図（一括通知の後にＭｅＮＢの判断でベアラ変更する場合）である。
【００６１】
一括通知の後にＭｅＮＢの判断でベアラ変更する場合の手順は、ステップＳ５０５のＳｅＮＢ（ＳＣＧ）  ｍｏｄｉｆｉｃａｔｉｏｎ  ｒｅｑｕｅｓｔにデータ転送の要否が含まれない点を除き、図４に示す手順と同じである。図７を参照して説明した通り、ＳＣＧが追加される際にデータ転送の要否が通知されているため、その通知に従って、ＳｅＮＢはデータ転送を実施するか否かを決定する（Ｓ５０７）。
【００６２】
図９は、本発明の実施例に係るデータ転送方法を示すシーケンス図（一括通知の後にＳＣＧが解放される場合）である。
【００６３】
一括通知の後にＳＣＧが解放される場合の手順は、ステップＳ６０５のＳｅＮＢ（ＳＣＧ）  ｒｅｌｅａｓｅ  ｒｅｑｕｅｓｔにデータ転送の要否が含まれない点を除き、図５に示す手順と同じである。図７を参照して説明した通り、ＳＣＧが追加される際にデータ転送の要否が通知されているため、その通知に従って、ＳｅＮＢはデータ転送を実施するか否かを決定する（Ｓ６０７）。
【００６４】
なお、ＳＣＧが変更される場合も図９と同様の手順でデータ転送が行われる。すなわち、ＳｅＮＢが他のＳｅＮＢに変更される場合にも、変更前のＳｅＮＢは、ＳＣＧが追加される際に通知されたデータ転送の要否に従って、データ転送を実施するか否かを決定する。ただし、ＳＣＧが変更されたとしても変更前のＳｅＮＢと変更後のＳｅＮＢとが同じである場合、当該ＳｅＮＢは、一括通知によりデータ転送が必要であると通知されていたとしても、データ転送は不要であると判断する。
【００６５】
図１０は、本発明の実施例に係るデータ転送方法を示すシーケンス図（一括通知の後にＳｅＮＢの判断でベアラ変更する場合）である。
【００６６】
一括通知の後にＳｅＮＢの判断でベアラ変更する場合の手順は、ステップＳ７０６のＳｅＮＢ（ＳＣＧ）  ｍｏｄｉｆｉｃａｔｉｏｎ  ｒｅｑｕｅｓｔ  ＡＣＫにデータ転送の要否が含まれない点を除き、図６に示す手順と同じである。図７を参照して説明した通り、ＳＣＧが追加される際にデータ転送の要否が通知されているため、その通知に従って、ＳｅＮＢはデータ転送を実施するか否かを決定する（Ｓ７０７）。
【００６７】
なお、一括通知と都度通知とを別々に説明したが、一括通知と都度通知とが組み合わされてもよい。例えば、一括通知の後に都度通知が行われた場合、都度通知の指示が優先されてもよく、都度通知の後に一括通知が行われた場合、一括通知の指示が優先されてもよい。
【００６８】
＜本発明の実施例の効果＞
本発明の実施例によれば、Ｄｕａｌ  ＣｏｎｎｅｃｔｉｖｉｔｙにおいてＳｐｌｉｔ  Ｂｅａｒｅｒ又はＳＣＧ  ＢｅａｒｅｒがＭＣＧ  Ｂｅａｒｅｒに変更される場合に該当ベアラのデータに欠落がないという要求条件を実現することが可能になる。また、ベアラのアーキテクチャやＭｅＮＢの実装によってＭｅＮＢがデータ転送の必要性を判断するため、効率的なデータ転送が実現される。
【００６９】
ＳＣＧのベアラを削除する毎にデータ転送の必要性を指示すること（都度通知）により、ベアラによって異なる処理を実現することができる。複数のベアラが設定されている場合には、それぞれのベアラに対して異なる処理を実現することもできる。例えば、ＱｏＳの要件が高いベアラに対しては確実にデータ転送が行われるように指示してもよい。
【００７０】
一方、ＳＣＧを追加する際にデータ転送の必要性を指示すること（一括通知）により、基地局間で交換される情報量を減らすことが可能になる。
【００７１】
説明の便宜上、本発明の実施例に係る基地局は機能的なブロック図を用いて説明しているが、本発明の実施例に係る基地局は、ハードウェア、ソフトウェアまたはそれらの組み合わせで実現されてもよい。また、各機能部が必要に応じて組み合わせて使用されてもよい。また、本発明の実施例に係る方法は、実施例に示す順序と異なる順序で実施されてもよい。
【００７２】
以上、Ｄｕａｌ  ＣｏｎｎｅｃｔｉｖｉｔｙにおいてＳｐｌｉｔ  Ｂｅａｒｅｒ又はＳＣＧ  ＢｅａｒｅｒがＭＣＧ  Ｂｅａｒｅｒに変更される場合に該当ベアラのデータに欠落がないという要求条件を実現するための手法について説明したが、本発明は、上記の実施例に限定されることなく、請求の範囲内において、種々の変更・応用が可能である。
【００７３】
本国際出願は２０１４年９月３日に出願した日本国特許出願２０１４−１７９６１８号に基づく優先権を主張するものであり、２０１４−１７９６１８号の全内容を本国際出願に援用する。
【００７４】
上記の実施例に関し、更に以下の内容を開示する。
【００７５】
（１）セカンダリセルグループの基地局と共に移動局に対してベアラを設定して通信するマスターセルグループの基地局であって、
セカンダリセルグループの削除若しくは変更、又はセカンダリセルグループのベアラの削除に伴ってセカンダリセルグループの基地局の下りリンクデータをマスターセルグループの基地局に転送すべきか否かの指示を、セカンダリセルグループの基地局に送信するデータ転送指示部と、
上記の指示に従ってセカンダリセルグループの基地局から転送された下りリンクデータを受信する受信部と、
受信した下りリンクデータを移動局に送信する送信部と、
を有する基地局。
【００７６】
前記データ転送指示部は、セカンダリセルグループを削除若しくは変更する際、又はセカンダリセルグループのベアラを削除する際に、上記の指示をセカンダリセルグループの基地局に送信する、（１）に記載の基地局。
【００７７】
前記データ転送指示部は、セカンダリセルグループを追加する際に、上記の指示をセカンダリセルグループの基地局に送信する、（１）に記載の基地局。
【００７８】
前記データ転送指示部は、当該マスターセルグループの基地局において下りリンクデータがセカンダリセルグループの基地局に分配されている場合、当該マスターセルグループの基地局のバッファのサイズに基づいて、セカンダリセルグループの基地局の下りリンクデータをマスターセルグループの基地局に転送すべきか否かを判断し、上記の指示をセカンダリセルグループの基地局に送信する、（１）乃至（３）のうちいずれか１項に記載の基地局。
【００７９】
前記データ転送指示部は、サービング・ゲートウェイにおいて下りリンクデータがセカンダリセルグループの基地局に分配されている場合、セカンダリセルグループの基地局の下りリンクデータをマスターセルグループの基地局に転送すべきという指示を、セカンダリセルグループの基地局に送信する、（１）乃至（３）のうちいずれか１項に記載の基地局。
【００８０】
前記データ転送指示部は、前記セカンダリセルグループの基地局に複数のベアラが設定されている場合、当該複数のベアラのそれぞれに対して上記の指示を設定する、（１）乃至（５）のうちいずれか１項に記載の基地局。
【００８１】
マスターセルグループの基地局と共に移動局に対してベアラを設定して通信するセカンダリセルグループの基地局であって、
セカンダリセルグループの削除若しくは変更、又はセカンダリセルグループのベアラの削除に伴って当該セカンダリセルグループの基地局の下りリンクデータをマスターセルグループの基地局に転送すべきか否かの指示を、マスターセルグループの基地局から受信する受信部と、
セカンダリセルグループが削除若しくは変更された場合、又はセカンダリセルグループのベアラが削除された場合、上記の指示に従って下りリンクデータをマスターセルグループの基地局に転送するデータ転送部と、
を有する基地局。
【００８２】
前記データ転送部は、当該セカンダリセルグループの基地局のバッファ内の移動局に送信する予定の下りリンクデータと、移動局から送達確認を受信していない下りリンクデータとをマスターセルグループの基地局に転送する、（７）に記載の基地局。
【００８３】
セカンダリセルグループの基地局と共に移動局に対してベアラを設定して通信するマスターセルグループの基地局におけるデータ転送方法であって、
セカンダリセルグループの削除若しくは変更、又はセカンダリセルグループのベアラの削除に伴ってセカンダリセルグループの基地局の下りリンクデータをマスターセルグループの基地局に転送すべきか否かの指示を、セカンダリセルグループの基地局に送信するステップと、
上記の指示に従ってセカンダリセルグループの基地局から転送された下りリンクデータを受信するステップと、
受信した下りリンクデータを移動局に送信するステップと、
を有するデータ転送方法。
【００８４】
マスターセルグループの基地局と共に移動局に対してベアラを設定して通信するセカンダリセルグループの基地局におけるデータ転送方法であって、
セカンダリセルグループの削除若しくは変更、又はセカンダリセルグループのベアラの削除に伴ってセカンダリセルグループの基地局の下りリンクデータをマスターセルグループの基地局に転送すべきか否かの指示を、マスターセルグループの基地局から受信するステップと、
セカンダリセルグループが削除若しくは変更された場合、又はセカンダリセルグループのベアラが削除された場合、上記の指示に従って下りリンクデータをマスターセルグループの基地局に転送するステップと、
を有するデータ転送方法。
【符号の説明】
【００８５】
１０    基地局（ＭｅＮＢ）
１０１  ＵＬ信号受信部
１０３  ＤＬ信号送信部
１０５  セカンダリセルグループ設定部
１０７  データ転送指示部
１０９  ＤＬデータバッファ部
１１１  基地局間インタフェース部
２０    基地局（ＳｅＮＢ）
２０１  ＵＬ信号受信部
２０３  ＤＬ信号送信部
２０５  セカンダリセルグループ設定部
２０７  データ転送部
２０９  ＤＬデータバッファ部
２１１  基地局間インタフェース部
【図１Ａ】
2020031453.tif 000003
【図１Ｂ】
2020031453.tif 000004
【図２】
2020031453.tif 000005
【図３】
2020031453.tif 000006
【図４】
2020031453.tif 000007
【図５】
2020031453.tif 000008
【図６】
2020031453.tif 000009
【図７】
2020031453.tif 000010
【図８】
2020031453.tif 000011
【図９】
2020031453.tif 000012
【図１０】
2020031453.tif 000013